(57)【要約】  追記型光ディスク、および追記型光ディスク上に管理情報を記録する方法並びに装置を提供する。本発明の記録媒体は、少なくとも１以上の記録層と、この少なくとも１以上の記録層上にＳＲＲ情報を含む。このＳＲＲ情報は、少なくとも１以上のＳＲＲに連関し、ヘッダ部、ＳＲＲエントリーリスト、ターミネータを含む。このＳＲＲエントリーリストは、複数のＳＲＲエントリーを含み、各々のＳＲＲエントリーは、１つのＳＲＲに連関し、セッション開始情報を保存するための少なくとも１以上の状態領域を含む。
2007531173.tif 000002
【特許請求の範囲】
【請求項１】
少なくとも１つの記録層を有する記録媒体において、
少なくとも１つの記録ユニットを含むセッションと、
前記少なくとも１つの記録層上の連続記録情報であって、前記連続記録情報は前記少なくとも１つの記録ユニットに関連し、少なくとも１つの記録ユニットエントリーを含む記録ユニットリストを含むことと、
を備え、
前記少なくとも１つの記録ユニットエントリーは、少なくとも１つの記録ユニットの各々に関連し、対応する記録ユニットが前記セッションの開始であるか否かを表すセッション開始情報を保存するための少なくとも１つの状態領域を含むことを特徴とする記録媒体。
【請求項２】
前記少なくとも１つの状態領域は、前記セッション開始情報を保存するためのセッション状態領域を含み、前記セッション状態領域は、記録ユニットエントリー内の開始ビット（ｂｅｇｉｎｎｉｎｇ  ｂｉｔｓ）を除く領域に配置されることを特徴とする請求項１に記載の記録媒体。
【請求項３】
前記セッション状態領域は、前記セッション開始情報を表すために割り当てられた１ビットを含むことを特徴とする請求項２に記載の記録媒体。
【請求項４】
前記セッション開始情報は、前記記録ユニットエントリーの中間部分に保存されることを特徴とする請求項１に記載の記録媒体。
【請求項５】
前記セッション状態領域は、対応する記録ユニットがオープンであるかまたはクローズであるかを表す記録ユニット状態情報をさらに保存することを特徴とする請求項２に記載の記録媒体。
【請求項６】
前記少なくとも１つの状態領域は、記録ユニット状態情報を保存するための記録ユニット状態領域を含み、前記記録ユニット状態領域は、記録ユニットエントリーの開始ビットに位置することを特徴とする請求項１に記載の記録媒体。
【請求項７】
前記記録ユニット状態情報は、対応する記録ユニットがオープンであるかまたはクローズであるかを表すことを特徴とする請求項６に記載の記録媒体。
【請求項８】
前記少なくとも１つの状態領域は、
前記セッション開始情報を保存するためのセッション状態領域と、
対応する記録ユニットの開始アドレス情報を保存するための開始アドレス領域を含み、前記セッション状態領域は、開始アドレス領域の後に位置することを特徴とする請求項１に記載の記録媒体。
【請求項９】
前記少なくとも１つの記録ユニットエントリーの各々は、対応する記録ユニットの開始アドレス情報を保存するための第１のアドレス領域と、対応する記録ユニットの最後に記録されたアドレス情報を保存するための第２のアドレス領域と、
をさらに含むことを特徴とする請求項１に記載の記録媒体。
【請求項１０】
前記連続記録情報は、オープン記録ユニットリストおよび記録ユニットの総数を有するヘッダ部をさらに含むことを特徴とする請求項１に記載の記録媒体。
【請求項１１】
前記連続記録情報は、前記少なくとも１つの記録層上に指定された一時欠陥管理エリア内に保存されることを特徴とする請求項１に記載の記録媒体。
【請求項１２】
前記記録媒体は、追記型光ディスクであることを特徴とする請求項１に記載の記録媒体。
【請求項１３】
少なくとも１つの記録層と、
前記少なくとも１つの記録層上の少なくとも１つのＳＲＲエントリーであって、各々のＳＲＲエントリーはＳＲＲに関連して、少なくとも１つの状態領域を含んでおり、前記状態領域は、セッション開始情報をその中に保存して、対応するＳＲＲエントリー内の開始ビットを除く領域に配置されていることと、
を備えること特徴とする記録媒体。
【請求項１４】
前記少なくとも１つの状態領域は、セッション開始情報を保存するためのセッション状態領域を含み、前記セッション状態領域は、前記ＳＲＲエントリー内の開始ビット（ｂｅｇｉｎｎｉｎｇ  ｂｉｔｓ）を除く領域に配置されることを特徴とする請求項１３に記載の記録媒体。
【請求項１５】
前記セッション状態領域は、前記セッション開始情報を表すために割り当てられた１ビットを含むことを特徴とする請求項１４に記載の記録媒体。
【請求項１６】
前記セッション開始情報は、前記ＳＲＲエントリーの中間部分に保存されることを特徴とする請求項１３に記載の記録媒体。
【請求項１７】
前記セッション状態領域は、ＳＲＲ状態情報をさらに保存することを特徴とする請求項１４に記載の記録媒体。
【請求項１８】
前記ＳＲＲ状態情報は、対応するＳＲＲがオープンＳＲＲであるかまたはクローズＳＲＲであるかを表すことを特徴とする請求項１７に記載の記録媒体。
【請求項１９】
前記少なくとも１つの状態領域は、ＳＲＲ状態情報を保存するためのＳＲＲ状態領域を含み、前記ＳＲＲ状態領域は、ＳＲＲエントリーの開始ビットに位置することを特徴とする請求項１４に記載の記録媒体。
【請求項２０】
前記ＳＲＲ状態情報は、対応するＳＲＲがオープンＳＲＲであるかまたはクローズＳＲＲであるかを表すことを特徴とする請求項１９に記載の記録媒体。
【請求項２１】
前記少なくとも１つの状態領域は、
前記セッション開始情報を保存するためのセッション状態領域と、
対応するＳＲＲの開始アドレス情報を保存するための開始アドレス領域を含み、
前記セッション状態領域は、開始アドレス領域の後に位置することを特徴とする請求項１３に記載の記録媒体。
【請求項２２】
前記少なくとも１つのＳＲＲエントリーの各々は、
対応するＳＲＲの開始アドレス情報を保存するための開始アドレス領域と、
対応するＳＲＲの最後に記録されたアドレス情報を保存するための最後の記録領域（ＬＲＡ）フィールドと、
をさらに含むことを特徴とする請求項１３に記載の記録媒体。
【請求項２３】
前記ＳＲＲ情報は、前記少なくとも１つの記録層上に指定された一時欠陥管理エリア内に保存されることを特徴とする請求項１３に記載の記録媒体。
【請求項２４】
前記記録媒体は、追記型光ディスクであることを特徴とする請求項１３に記載の記録媒体。
【請求項２５】
前記追記型光ディスクは、追記型ブルーレイ・ディスク（ＢＤ−ＷＯ）であることを特徴とする請求項２４に記載の記録媒体。
【請求項２６】
少なくとも１つの記録層を有する記録媒体上に管理情報を記録する方法において、
（ａ）前記少なくとも１つの記録層上に連続記録情報を記録するステップであって、前記連続記録情報は、少なくとも１つの記録ユニットエントリーを含む記録ユニットエントリーリストに関連しており、前記少なくとも１つの記録ユニットエントリーは、前記少なくとも１つの記録ユニットの各々に関連することを備え、
前記少なくとも１つの記録ユニットはセッションを形成し、前記少なくとも１つの記録ユニットエントリーは、対応する記録ユニットがセッションの開始であるか否かを表すセッション開始情報を保存するための少なくとも１つの状態領域を含むことを特徴とする記録媒体上の管理情報の記録方法。
【請求項２７】
前記（ａ）ステップは、
（ａ１）前記少なくとも１つの状態領域のうちのセッション状態領域内にセッション開始情報を記録するステップを含み、前記セッション状態領域は、記録ユニットエントリー内の開始ビットを除く領域に配置されることを特徴とする請求項２６に記載の管理情報の記録方法。
【請求項２８】
前記セッション状態領域は、前記セッション開始情報を表すために割り当てられた１ビットを含むことを特徴とする請求項２７に記載の記録媒体上の管理情報の記録方法。
【請求項２９】
前記セッション開始情報は、前記記録ユニットエントリーの中間部分に記録されることを特徴とする請求項２６に記載の記録媒体上の管理情報の記録方法。
【請求項３０】
前記（ａ）ステップは、
（ａ２）前記セッション状態領域内に、対応する記録ユニットがオープンであるかクローズであるかを表す記録ユニット状態情報を記録するステップ、
をさらに含むことを特徴とする請求項２７に記載の記録媒体上の管理情報の記録方法。
【請求項３１】
前記（ａ）ステップは、
（ａ２）前記少なくとも１つの状態領域のうちの記録ユニット状態領域内に記録ユニット状態情報を記録するステップであって、前記記録ユニット状態領域は、記録ユニットエントリーの開始ビットに位置すること、
をさらに含むことを特徴とする請求項２７記載の記録媒体上の管理情報の記録方法。
【請求項３２】
前記記録ユニット状態情報は、対応する記録ユニットがオープンであるかクローズであるかを表すことを特徴とする請求項３１に記載の記録媒体上の管理情報の記録方法。
【請求項３３】
前記（ａ）ステップは、
（ａ１）前記少なくとも１つの状態領域のうちのセッション状態領域内に、前記セッション開始情報を記録するステップと、
（ａ２）対応する記録ユニットエントリーの開始アドレス領域内に対応する記録ユニットの開始アドレス情報を記録するステップと、を含み、
前記セッション状態領域は、開始アドレス領域の後に位置することを特徴とする請求項２６に記載の記録媒体上の管理情報の記録方法。
【請求項３４】
前記（ａ）ステップは、
（ａ１）前記少なくとも１つの状態領域内に、前記セッション開始情報を記録するステップと、
（ａ２）対応する記録ユニットエントリーの第１のアドレス領域内に、対応する記録ユニットの開始アドレス情報を記録するステップと、
（ａ３）対応する記録ユニットエントリーの第２のアドレス領域内に、対応する記録ユニットの最後に記録されたアドレス情報を記録するステップと、
をさらに含むことを特徴とする請求項２６に記載の記録媒体上の管理情報の記録方法。
【請求項３５】
前記連続記録情報は、オープン記録ユニットリストおよび記録ユニットの総数情報を有するヘッダ部をさらに含むことを特徴とする請求項２６に記載の記録媒体上の管理情報の記録方法。
【請求項３６】
前記（ａ）ステップにおいて、前記少なくとも１つの記録層上で指定された一時欠陥管理エリア内に、前記連続記録情報を記録することを特徴とする請求項２６に記載の記録媒体上の管理情報の記録方法。
【請求項３７】
前記（ａ）ステップにおいて、前記記録媒体は、追記型光ディスクであることを特徴とする請求項２６に記載の記録媒体上の管理情報の記録方法。
【請求項３８】
少なくとも１つの記録層を有する記録媒体上に管理情報を記録する方法において、
（ａ）前記少なくとも１つの記録層上に、少なくとも１つのエントリーを記録するステップであって、各々のＳＲＲエントリーはＳＲＲと関連し、セッション開始情報を保存する少なくとも１つの状態領域を含んでおり、各々のＳＲＲエントリーは、対応するＳＲＲエントリー内の開始ビットを除く領域に備えられること、
を備えることを特徴とする記録媒体上の管理情報の記録方法。
【請求項３９】
前記（ａ）ステップは、
（ａ１）前記少なくとも１つの状態領域のうちのセッション状態領域内に、前記セッション開始情報を記録するステップであって、前記セッション状態領域は、ＳＲＲエントリー内の開始ビットを除く領域に配置されること、
を含むことを特徴とする請求項３８に記載の記録媒体上の管理情報の記録方法。
【請求項４０】
前記セッション状態領域は、前記セッション開始情報を表すために割り当てられた１ビットを含むことを特徴とする請求項３９に記載の記録媒体上の管理情報の記録方法。
【請求項４１】
前記セッション開始情報は、前記ＳＲＲエントリーの中間部分に保存されることを特徴とする請求項３８に記載の記録媒体上の管理情報の記録方法。
【請求項４２】
前記（ａ）ステップは、
（ａ２）前記セッション状態領域内にＳＲＲ状態情報を記録するステップをさらに含むことを特徴とする請求項３９に記載の記録媒体上の管理情報の記録方法。
【請求項４３】
前記ＳＲＲ状態情報は、対応するＳＲＲがオープンＳＲＲであるかまたはクローズＳＲＲであるかを示すことを特徴とする請求項４２に記載の記録媒体上の管理情報の記録方法。
【請求項４４】
前記（ａ）ステップは、
（ａ２）前記少なくとも１つの状態領域のうちのＳＲＲ状態領域内にＳＲＲ状態情報を記録するステップであって、前記ＳＲＲ状態領域は、ＳＲＲエントリーの開始ビットに位置すること、
を含むことを特徴とする請求項３９記載の記録媒体上の管理情報の記録方法。
【請求項４５】
前記ＳＲＲ状態情報は、対応するＳＲＲがオープンＳＲＲであるかまたはクローズＳＲＲであるかを示すことを特徴とする請求項４４に記載の記録媒体上の管理情報の記録方法。
【請求項４６】
前記（ａ）ステップは、
（ａ１）前記少なくとも１つの状態領域のうちのセッション状態領域内に、前記セッション開始情報を記録するステップと、
（ａ２）対応するＳＲＲエントリーの開始アドレス領域内に、対応するＳＲＲの開始アドレス情報を記録するステップと、を含み、
前記セッション状態領域は、開始アドレス領域の後に位置することを特徴とする請求項３８に記載の記録媒体上の管理情報の記録方法。
【請求項４７】
前記（ａ）ステップは、
（ａ１）前記少なくとも１つの状態領域内に、前記セッション開始情報を記録するステップと、
（ａ２）対応するＳＲＲエントリーの開始アドレス領域内に、対応するＳＲＲの開始アドレス情報を記録するステップと、
（ａ３）対応するＳＲＲエントリーの最後の記録領域（ＬＲＡ）フィールド内に、対応するＳＲＲの最後に記録されたアドレス情報を記録するステップと、
をさらに含むことを特徴とする請求項３８に記載の記録媒体上の管理情報の記録方法。
【請求項４８】
前記（ａ）ステップは、前記少なくとも１つの記録層上において指定された一時欠陥管理エリア内に、前記ＳＲＲ情報を記録することを特徴とする請求項３８に記載の記録媒体上の管理情報の記録方法。
【請求項４９】
前記（ａ）ステップにおいて、前記記録媒体は、追記型光ディスクであることを特徴とする請求項３８に記載の記録媒体上の管理情報の記録方法。
【請求項５０】
前記追記型光ディスクは、追記型ブルーレイ・ディスク（ＢＤ−ＷＯ）であることを特徴とする請求項４９に記載の記録媒体上の管理情報の記録方法。
【請求項５１】
少なくとも１つの記録層を有する記録媒体上に管理情報を記録する装置において、
前記少なくとも１つの記録層上に連続記録情報を記録するための記録／再生部であって、前記連続記録情報は、少なくとも１つの記録ユニットに連関して、ヘッダ部、記録ユニットエントリーリストおよびターミネータを含んでおり、前記記録ユニットエントリーリストは、複数の記録ユニットエントリーを含んでおり、各々の記録ユニットエントリーは、１つの記録ユニットに連関して、セッション開始情報を保存するための少なくとも１つの状態領域を含んでいること、
を備えることを特徴とする記録媒体上の管理情報の記録装置。
【発明の詳細な説明】
【技術分野】
【０００１】
本発明は追記型光ディスクに関し、特に、追記型光ディスクにおけるディスク管理情報を記録する方法および装置に関する。
【背景技術】
【０００２】
光記録媒体として、大容量のデータが記録可能な光ディスクが広く用いられている。その中でも、最近は、高画質のビデオデータおよび高音質のオーディオデータを長時間記録および保存できる新たな高密度光記録媒体（ＨＤ−ＤＶＤ）、例えば、ブルーレイ（Ｂ ｌｕｅ−ｒａｙ）ディスクが開発されている。
【０００３】
次世代ＨＤ−ＤＶＤ技術であるブルーレイ・ディスクは、既存のＤＶＤよりも遥かに多くのデータが記録可能である。なお、近年、ＨＤ−ＤＶＤに対する国際標準規格が用意されている。
【０００４】
次世代ＤＶＤの世界標準の一つであるブルーレイ・ディスクは、６５０ｎｍ波長の赤色レーザを用いた現在のＤＶＤに比べて短波長である４０５ｎｍ波長の青紫色レーザを用い、０.１ｍｍの光透過層を有する厚さ１.２ｍｍ、直径１２ｃｍのディスクに、現在のＤＶＤより遥かに多量のデータを保存することができる。ブルーレイ・ディスクに関わる標準案が策定されており、書き換え型ブルーレイ・ディスク（ＢＤ−ＲＥ）に続いて追記型ブルーレイ・ディスク（ＢＤ−ＷＯ）に対する各種の標準案が確立されつつある。
【０００５】
特に、追記型ブルーレイ・ディスク（ＢＤ−ＷＯ）の標準案の中にはディスクの管理情報を記録する方法が論議されており、かかる管理情報には、追記型光ディスクとしての特徴を示すものとして、ディスク記録状態情報を記録する方法が含まれている。
【０００６】
このディスク記録状態情報とは、ホストやユーザが追記型光ディスク上において記録可能な領域を容易に検索でき、現在のディスク内の使用状態を表示する一種の情報であるといえる。既存の追記型光ディスク（例えば、ＣＤまたはＤＶＤ）においてこの記録状態を知らせる情報は様々な名称がある。例えば、ＣＤファミリではトラック情報と呼ばれる。また、ＤＶＤファミリではＲゾーン、フラグメント、または記録レンジと呼ばれる。
【０００７】
図１は、既存の追記型光ディスク（例えば、ＤＶＤ−Ｒ）における記録状態情報を示している。図１のＤＶＤ−Ｒにおいては、ディスクの管理情報をＲＭＤ（Ｒｅｃｏｒｄｉｎｇ Ｍａｎａｇｅｍｅｎｔ Ｄａｔａ）領域内に記録して管理する。特に、ディスクの記録状態を表示する情報は、このＲＭＤ領域のうちのＲＭＤフィールド４〜１２を用いて管理される。オープンＲゾーンおよびインビジブルＲゾーンと、クローズＲゾーンがある。
【０００８】
このＲゾーン情報は、ホストなどからディスクへの追記のために追記可能な位置を要求する場合、上述した方法によって記録状態を表示している情報を確認する。すなわち、ドライブでは最初のオープンＲゾーンおよび２番目のオープンＲゾーンの最後に記録されたアドレスＬＲＡを確認する。通常は、“ＬＲＡ＋１”となる位置を追記可能な位置としてホストなどに送る。この“次に追記可能な位置”は、ＮＷＡ（Ｎｅｘｔ  Ｗｒｉｔａｂｌｅ  Ａｄｄｒｅｓｓ）と呼ばれる。ホストなどは、伝送されてきたＮＷＡ情報から、有効にディスクに追記することが可能になる。
【発明の開示】
【発明が解決しようとする課題】
【０００９】
しかしながら、上述したＤＶＤ−Ｒディスクは、追記型ブルーレイ・ディスク（ＢＤ−ＷＯ）とはその物理的な構造および使用環境が異なるため、前述のような従来の方式をそのまま追記型ブルーレイ・ディスクに適用できなくなる。特に、追記型ブルーレイ・ディスク（ＢＤ−ＷＯ）の場合には、ドライブそのものにてディスクの欠陥を管理するため、ディスク内に欠陥管理のための別の特別な領域がさらに必要となる。すなわち、ＢＤ−ＷＯは、複雑なディスク構造を有しており、結局、従来のＤＶＤ−Ｒ方式に適用されたディスク記録状態情報がそのまま適用できなくなる。
【００１０】
したがって、高密度光ディスクには、ディスクの使用状態に対応する効率の良い管理情報の記録方法が望まれている。これにより、ディスクに簡単にアクセスすることができ、より効率的にディスクを使用できる。特に、これが規格化した情報として提供されなければ、ＢＤ−ＷＯの全体構造、使用および標準規格に関する相互互換性が確保できなくなる。また、前述のようなブルーレイ・ディスク（ＢＤ−ＷＯ）の場合と同じように、欠陥管理が行われる追記型高密度光ディスクにおいて適用可能な、ディスク管理情報の記録方法に対する必要性がある。
【課題を解決するための手段】
【００１１】
本発明は、追記型光ディスクおよび光ディスクに管理情報を記録する方法および装置に関する。すなわち、従来技術の制限や不都合による1つ以上の問題点を大幅に改善する。
【００１２】
本発明の目的は、追記型光ディスクの管理情報を記録する方法および装置を提供し、特に、この管理情報としてのディスク使用状態情報を効率よく記録管理する方法を提供するところにある。
【００１３】
また、本発明の他の目的は、追記型光ディスクにおいてトラック情報を記録する方法および装置を提供するところにあり、このトラック情報は、ディスク使用状態情報として記録される。本発明の方法および装置は、欠陥管理を行う追記型光ディスクにも適用可能である。
【００１４】
本発明のまた他の目的は、追記型光ディスクにおいてトラック情報を記録する方法および装置を提供するところにあり、また、ディスク内に物理的な追加領域を割り当てることなくセッション情報（ｓｅｓｓｉｏｎ  ｉｎｆｏｒｍａｔｉｏｎ）を記録する。この結果、既存の再生専用規格との互換性を保持される。
【００１５】
本発明のさらなる目的は、トラック情報の効率よいアップデート方法を提供するところにある。
【００１６】
本発明による記録媒体は、少なくとも１つの記録層を有する記録媒体において、少なくとも１つの記録ユニットを含むセッションと、少なくとも１つの記録層上にこの少なくとも１つの記録ユニットに関連する連続記録情報を備え、この連続記録情報は、少なくとも１つの記録ユニットエントリーを含む記録ユニットリストを含み、この少なくとも１つの記録ユニットエントリーは、少なくとも１つの記録ユニットの各々に関連し、対応する記録ユニットがセッションの開始であるか否かを表すセッション開始情報を保存するための少なくとも１つの状態領域を含むことを特徴とする。
【００１７】
本発明による他の記録媒体は、少なくとも１つの記録層と、少なくとも１つの記録層上に少なくとも１つのＳＲＲエントリーが保存されており、各々のＳＲＲエントリーは、セッション開始情報を保存する少なくとも１つの状態領域を含み、この状態領域は、対応するＳＲＲエントリー内の開始ビットを除く領域に備えられることを特徴とする。
【００１８】
本発明の他の態様による記録媒体上の管理情報の記録方法は、少なくとも１つの記録層を有する記録媒体上に管理情報を記録する方法において、（ａ）少なくとも１つの記録層上に連続記録情報を記録するステップを含み、この連続記録情報は、少なくとも１つの記録ユニットエントリーを有する記録ユニットリストを含み、この少なくとも１つの記録ユニットエントリーは、少なくとも１つの記録ユニットの各々に関連する。この少なくとも１つの記録ユニットはセッションを形成し、この少なくとも１つの記録ユニットエントリーは、対応する記録ユニットがセッションの開始であるか否かを表すセッション開始情報を保存するための少なくとも１つの状態領域を含むことを特徴とする。
【００１９】
本発明の他の態様による記録媒体上の管理情報の記録方法は、少なくとも１つの記録層を有する記録媒体上に管理情報を記録する方法において、（ａ）少なくとも１つの記録層上に少なくとも１つのＳＲＲエントリーを記録するステップを含み、各々のＳＲＲエントリーは、セッション開始情報を保存する少なくとも１つの状態領域を含む。そして、この状態領域は、対応するＳＲＲエントリー内の開始ビットを除く領域に配置されることを特徴とする。
【００２０】
本発明の他の態様である記録媒体上の管理情報の記録装置は、少なくとも１つの記録層を有する記録媒体上に管理情報を記録する装置において、少なくとも１つの記録層上に連続記録情報を記録するための記録／再生部を含む。この連続記録情報は、少なくとも１つの記録ユニットに連関しており、ヘッダ部、記録ユニットエントリーリスト、およびターミネータを含んでいる。そして、この記録ユニットエントリーリストは、複数の記録ユニットエントリーを含み、各々の記録ユニットエントリーは、１つの記録ユニットに連関し、セッション開始情報を保存するための少なくとも１つの状態領域を含むことを特徴とする。
【００２１】
本発明のさらに他の利点、目的および特徴は、この技術分野における当業者にとって、後述する本発明の好適な実施例から自明に理解できるであろう。本発明の目的および他の利点は、添付された図面と特許請求の範囲および詳細な説明に特に指摘されている構造により実現および獲得できる。
【００２２】
本発明に関する一般的な説明および後述する詳細な説明は、請求された本発明をさらに明確にするために例示されたものとして理解されるべきである。本発明のさらなる目的および長所は、後述する本発明の好適な実施の形態に関連する添付図面により一層明らかになる。
【発明を実施するための最良の形態】
【００２３】
以下、添付した図面に基づき、本発明による追記型光ディスクの管理情報の復元方法についての好適な実施の形態について詳細に説明する。説明の便宜上、追記型ブルーレイ・ディスク（ＢＤ−ＷＯ）の場合を例に挙げて説明を進める。
【００２４】
なお、本発明における用語選定に当たっては、できる限り一般的な用語を採用し、よって、本発明は単なる用語の名称の観点からではなく、出願人により定義された用語の意味として理解されるべきである。
【００２５】
本発明における‘トラック（ｔｒａｃｋ）’の意味は、ＢＤ−ＷＯといった追記型光ディスクにおける連続記録領域（ＳＲＲ；Ｓｅｑｕｅｎｔｉａｌ  Ｒｅｃｏｒｄｉｎｇ  Ｒａｎｇｅ）を意味するものであって、すなわち、ディスク上のデータまたは情報を記録する領域を意味する。従って、以下、本発明では、記録ユニットを意味する用語としての“トラック”または“ＳＲＲ”を同一の意味として用いる。また、本発明における“トラック情報”または“ＳＲＲＩ（ＳＲＲ  Ｉｎｆｏｒｍａｔｉｏｎ）”は、追記型光ディスクの使用状態を表すための情報を通称して適用する用語である。
【００２６】
また、“セッション”は、トラックまたはＳＲＲを含む。すなわち、少なくとも１つの記録ユニットを含む。“セッション情報”は、再生専用ディスク規格との互換性を目的として、特定のブロックの記録状態を示すための、一般的な用語として使用されている。
【００２７】
本発明は、新規の高密度光ディスクに適用可能なトラック情報を記録する方法および装置を提供する。本発明は、セッション情報を別の物理的領域を割り当てることなくトラック情報内に記録する。さらに、使用可能なオープントラックの個数を制限せず、最大１６つのオープントラックをサポートする。従って、２つのオープントラックだけを活用する従来技術（例えば、ＤＶＤ−ＲのＲゾーンの場合）に比べて、本発明は、ディスクを一層効率よく使用することが可能になり、このためにこのディスク管理情報としてのトラック情報の最適構造を提供する。
【００２８】
図２は、本発明が適用される追記型光ディスク上のトラックの様々なタイプを示す図である。同図に示すように、ディスクは、複数のトラックに分けられる。例えば、トラック＃１、＃２は、トラック内に追記可能な領域が残っているオープントラックである。トラック＃３、＃４は、トラックがフルに記録され追記不可能なクローズトラック（ｃｌｏｓｅ  ｔｒａｃｋ）  または  コンプリートトラック（ｃｏｍｐｌｅｔｅ  ｔｒａｃｋ）である。トラック＃５は、末尾のトラックであって常時追記可能なトラックとしてのインターミーディアト・トラック（ｉｎｔｅｒｍｅｄｉａｔｅ  ｔｒａｃｋ）である。
【００２９】
関連して、追記不可能なトラック（クローズトラック、トラック＃３、＃４）は、オープントラックとして始まる。特定の原因により（主に、ホストからのクローズコマンド）トラックの残りの部分がゼロパッディングされた後（ハッチング部分）、トラックの状態は、ゼロパッディングの後でクローズトラックに変更される。この例においては、トラック＃３の残りの利用可能な領域は、トラック＃３がクローズされる前にゼロパッディングされている。ある場合には、オープントラックがクローズコマンドによってクローズ・トラックに変更されるとき、ゼロパッディング無しで本発明のトラックタイプ情報だけを変更することもできる。
【００３０】
また、各トラックは、トラックのタイプによらず、対応するトラックの“先頭アドレスを知らせる情報（ｓｔａｒｔ  ＰＳＮ  ｏｆ  ｔｒａｃｋ）”を含み、“データが記録された最後のアドレス情報（ＬＲＡ：Ｌａｓｔ  Ｒｅｃｏｒｄｅｄ  Ａｄｄｒｅｓｓ）”を常に含む。このＰＳＮ（Ｐｈｙｓｉｃａｌ  Ｓｅｃｔｏｒ  Ｎｕｍｂｅｒ）は、ディスク内の特定位置の位置情報を知らせる一般の用語である。また、ＬＲＡは、実際にデータが記録された最後のアドレスを意味する。従って、トラック＃３の場合、ゼロパッディングされる前の位置がＬＲＡになる（ＬＲＡ３）。具体的には、記録ユニットがクラスタ（ｃｌｕｓｔｅｒ）である場合、１クラスタ内には、計３２個のセクタが存在する。仮に、１クラスタ内において一定部分のセクタだけが記録され、残りのセクタがゼロパッディングされたとすれば、この場合のＬＲＡ値は、ゼロパッディングされる前の最後のセクタアドレスとなる。
【００３１】
さらに、ホストなどからの要求により、ＬＲＡから求められるＮＷＡ（Ｎｅｘｔ  Ｗｒｉｔａｂｌｅ  Ａｄｄｒｅｓｓ）は、追記可能なオープントラック（トラック＃１、＃２）およびインターミーティアト・トラック（トラック＃５）においてのみ、決定される。そして、計算されたＮＷＡ情報はホストへ送られる。クローズ・トラック（トラック＃３、＃４）には追記不可能であるため、この例では、トラック＃３、＃４にはＮＷＡが存在しない。
【００３２】
本発明は、図２に示すような様々なトラックのタイプとこのトラック関連付けられたセッション情報を示す方法を提供する。以下、図３〜図６を参照して詳細に説明する。
【００３３】
図３は、本発明が適用される追記型光ディスクの構造および本発明の実施の形態により管理情報を記録する方法を示す図である。図３の追記型光ディスクは、１つの記録層を有する一層ディスクに関する。しかしながら、本発明は、このようなディスク構造に限定されることなく、２つの記録層を有するか、または複数の記録層を有すディスクにも同様に適用可能である。
【００３４】
図３に示すように、このディスクは、リードインエリア、データエリア、およびリードアウトエリアを含んでいる。データエリア内には欠陥領域を取り替えるためにインナースペアエリアＩＳＡ０および／またはアウタースペアエリアＯＳＡ０が備えられている。このリードインエリアとリードアウトエリアは、複数の欠陥管理エリアＤＭＡ１〜ＤＭＡ４を備えている。リードインエリア内には、第１の一時欠陥管理エリアＴＤＭＡ１が備えられ、アウタースペアエリアＯＳＡ０内には、第２の一時欠陥管理エリアＴＭＤＡ２が備えられる。これらのＴＤＭＡは、欠陥管理情報を一時的に保存する。これに対し、ＤＭＡは、欠陥管理情報を永久的に保存する。また、データの記録をこれ以上行わないか、ディスクをファイナライズする場合には、このＴＤＭＡ内に保存されている情報が少なくとも１つのＤＭＡへ転送される。一般に、各ＤＭＡは同一の情報を保存し、従って、仮に１つのＤＭＡが機能しなくなったり欠陥が発生したりしても、ＤＭＡに記録されている重要な管理情報を別のＤＭＡを通じて復旧可能になる。これにより、情報の喪失が回避される。一般に、書き換え型光ディスクの場合には、限られたサイズの欠陥管理エリアＤＭＡだけを備えていても、このエリアに記録および消去が繰り返し行える。従って、大きなＤＭＡが不要である。しかし、ＢＤ−ＷＯのような追記型光ディスクの場合には、一回記録された領域には再び記録ができない。このため、欠陥管理のためにはより大きな管理エリアが必要となる。
【００３５】
このＴＤＭＡ１は、リードインエリアに固定されたサイズで割り当てられ、このＴＤＭＡ２は、アウタースペアエリアＯＳＡ０内にスペアエリアＯＳＡ０のサイズと連動したサイズで割り当てられる。例えば、ＯＳＡ０のサイズがＮ＊２５６クラスタであるとすれば、ＴＤＭＡ２のサイズはＰ＝（Ｎ＊２５６）／４クラスタに割り当てられる。
【００３６】
また、各々のＴＤＭＡ内には、一時欠陥エリア（ＴＤＦＬ；Ｔｅｍｐｏｒａｒｙ  Ｄｅｆｅｃｔ  Ｌｉｓｔ）情報と一時ディスク定義構造（ＴＤＤＳ；Ｔｅｍｐｏｒａｒｙ  Ｄｅｆｉｎｉｔｉｏｎ  Ｓｔｒｕｃｔｕｒｅ）情報が１つの記録ユニット（ＢＤ−ＷＯの場合にでは１クラスタ）内に記録される。また、各々のＴＤＭＡには、ディスク・トラック情報（Ｔｒａｃｋ−Ｉｎｆｏ）と一時ディスク定義構造（ＴＤＤＳ）情報が他の記録ユニットに記録される。
【００３７】
したがって、データエリア内に欠陥エリアが発生すれば、これをスペアエリアに取り替えるプロセスが行わる。そして、このような一連のプロセスに関わる管理情報を欠陥エリアリスト（ＴＤＦＬ）として保存するようになる。一層ディスクの場合、欠陥リストのサイズによって１〜３クラスタのサイズにＴＤＦＬを作成する。
【００３８】
トラック情報は、ディスクにおいて特定の領域が記録済みなのかあるいは未記録なのかを示すディスク状態情報である。特に、ディスクが連続記録方式またはインクリメンタル記録（Ｓｅｑｕｅｎｔｉａｌ  ｏｒ  ｉｎｃｒｅｍｅｎｔａｌ  ｒｅｃｏｒｄｉｎｇ）方式であるときに適用される。また、図３に示すように、ＴＤＭＡの１クラスタは、セクタ０〜セクタ３０に記録されたトラック情報およびセクタ３１に記録されたＴＤＤＳ情報から構成される。なお、ＴＤＤＳを最初のセクタ０に記録し、トラック情報を残りのセクタ（すなわち、セクタ１〜セクタ３１）に記録することも可能である。
【００３９】
図３を参照してトラック情報３０について詳細に説明すれば、次のとおりである。まず、トラック情報は、大別して３つの部分からなっている。すなわち、トラック情報を識識別可能にするヘッダ部３１と、トラック情報を直接表示するトラック情報リスト部３２と、トラック情報の終了を知らせるトラック情報リストターミネータ３３と、から構成されている。
【００４０】
ヘッダ部３１は、トラック情報３０内の先頭に位置し、トラック情報であることを認識可能にする“トラック情報識別子”フィールド３１ａと、このトラック情報内に存在するオープン・トラックの位置を知らせる“オープントラックの位置情報”フィールド３１ｂと、セッションの総数を知らせる“セッションの総数”フィールド３１ｃと、セッションの開始トラックまたは終了トラックの位置を知らせる“セッションスタート（またはエンド）トラックの位置情報”フィールド３１ｄを有している。従って、直接トラック情報リストを読み込むに先立って、大まかなトラック情報の内容が確認可能になる。結果として、ヘッダ部３１には、このフィールドの他にも必要な情報を新しく定義し規格化することも可能である。
【００４１】
ヘッダ部の次にはトラック情報リスト部３２を記録される。トラック情報リストが終了すれば、トラック情報リストターミネータ３３によって、トラック情報の終了を表示させる。特に、トラック情報リストターミネータ３３は、トラック情報のサイズが可変である場合に、このトラック情報の終了箇所を示す情報として意味がある。例えば、本発明のトラック情報は、１クラスタ内で最大３１セクタまで記録可能である（残りの１セクタはＴＤＤＳが記録される）。しかしながら、特定の時点では、最大３１セクタまでの全てにトラック情報を記録する必要がないはずであるため（特に、最初の記録のとき）、この場合には、必要なトラック情報を記録した後、トラック情報リストターミネータを通して、トラック情報タイプを表示する。従って、システムの混乱を未然に防止し、必要に応じて、残りの領域に有用な他の管理情報を記録できるようにしたのである。
【００４２】
従って、ディスク管理情報としてのトラック情報（または、ＳＲＲ情報）は、ヘッダ部３１と、トラック情報リスト３２（または、ＳＲＲエントリーリスト）、およびトラックターミネータ３３と、から構成され、アップデートされる度に、これらの情報が一括して記録される。必要に応じて、他の情報をトラック情報３０の一部分として記録することも可能である。
【００４３】
以下に、トラック情報リスト３２（または、ＳＲＲエントリーリスト）について詳細に説明する。トラック情報リスト３２（または、ＳＲＲエントリーリスト）は、複数のエントリー３４を有し、各々のエントリーは、ディスク内の１つのトラックに対応し、８バイトずつ割り当てられる。このエントリー３４を“トラック情報エントリー”または“ＳＲＲエントリー”と称す。この各々のトラック情報エントリー３４は、対応するトラックの第１の状態エリア／フィールド３５（Ｓｔａｔｕｓ１）と、対応するトラックの最初のアドレス情報を指示する第１のロケーションエリア／フィールド３６と、第２の状態エリア／フィールド３７（Ｓｔａｔｕｓ２）と、対応するトラック上にデータが記録された最後のアドレスを指示する第２のロケーションエリア／フィールド３８と、から構成される。第１のロケーションフィールド３６は、対応するトラックのスタートＰＳＮを運び、第２のロケーションフィールド３８は、対応するトラックのＬＲＡを運ぶ。
【００４４】
例えば、ビット６３〜ビット６０（ｂ６３〜ｂ６０）には、第１の状態フィールド３５（Ｓｔａｔｕｓ１）を割り当て、ビット５９〜ビット３２（ｂ５９〜ｂ３２）には、第１のロケーションフィールド（３６）を割り当て、ビット３１〜ビット２８（ｂ３１〜ｂ２８）には、第２の状態フィールド３７（Ｓｔａｔｕｓ２）を割り当て、ビット２７〜ビット０（ｂ２７〜ｂ０）には、第２のロケーションフィールド３８を割り当る。必要に応じてまたは標準規格によってこれらのエントリー３４内のフィールドが異なるサイズを持つか、または別のビット割り当てを持つこともできる。
【００４５】
第１の状態フィールド３５（Ｓｔａｔｕｓ１）および／または第２の状態フィールド３７（Ｓｔａｔｓｕ２）は、これに限られないが、対応するトラックのタイプを表示するトラックタイプ情報およびディスク内のセッションに関わる情報を含んでいる。従って、対応するトラックのタイプは、状態情報から決定される。セッション情報は、対応する他ラックが位置しているセッションの位置を示している。合わせて、アドレス３６、３８フィールドから対応するトラックの位置が確認できるようになる。
【００４６】
従って、システムは、このトラック情報にアクセスすることにより、ディスクの特定の領域が記録可能領域であるか、またはセッション開始領域であるか否かを確認可能になる。従って、このエントリー３４を読み出せば、対応するトラックのタイプ、トラックの開始位置、トラックのＬＲＡ、およびトラック内のセッション情報を精度よく決定することができる。さらに、トラック内のセッション情報を得ることが可能になる。
【００４７】
このように、各トラック情報のエントリー内にトラックタイプ情報はもとより、セッション情報が一緒に記録される。従って、従来とは異なり、セッション情報を記録する別の物理的な領域がなくてもホストやユーザが活用可能なセッション情報を表すことができるようになり、ディスクの使用における効率性をさらに増すことができるようになる。前述したように物理的領域を割り当てることなくセッション情報を記録する方式を‘仮想セッション（Ｖｉｒｔｕａｌ  Ｓｅｓｓｉｏｎ）’または‘セッション論理情報（Ｓｅｓｓｉｏｎ  Ｌｏｇｉｃａｌ  Ｉｎｆｏｒｍａｔｉｏｎ）’ともいう。
【００４８】
図４は、本発明の第１の実施形態による追記型光ディスクのトラック情報内のトラック情報エントリー３４の構造を例に挙げて示す図である。図４に示すように、ディスク上には、複数のトラックが存在する（トラック＃１〜＃８）。各々のトラックは、前述した定義によってトラックタイプを示す第１の状態フィールド３５（Ｓｔａｔｕｓ１）により区分される。また、対応するトラックがセッションの開始トラックであるか否かを表示する情報を別の第２の状態フィールド３７（Ｓｔａｔｕｓ２）内に記録しておく。そのトラックに関連付けられたセッションのスタート位置を示している情報が、Ｓｔａｔｕｓ２においてセッション状態情報として記録される。
【００４９】
例えば、Ｓｔａｔｕｓ１においてトラック状態情報は、オープン・トラックは“００００ｂ”にて、インターミーディアト・トラックは“０００１ｂ”にて、クローズ・トラックは“００１０ｂ”にて表示することができる。また、Ｓｔａｔｕｓ２においてセッション状態情報３７は、各セッションの開始トラックに対応するトラック（ｓｅｓｓｉｏｎ  ｓｔａｒｔ  ｔｒａｃｋ）を“１０００ｂ”にて、その他のトラック（ｎｏｎ−ｓｅｓｓｉｏｎ  ｓｔａｒｔ  ｔｒａｃｋ）を“００００ｂ”にて表示される。図４に示すように、セッション＃１、＃２、＃３は、それぞれクローズ・トラックから始まってクローズ・トラックで終わるクローズ・セッションとして定義される。セッション＃４は、オープン・トラック（トラック＃７）から始まって未だセッションがクローズされていないオープン・セッション（ｏｐｅｎ  ｓｅｓｓｉｏｎ）として定義することができる。従って、前述の定義によれば、クローズ・セッションは、追記記録ができず対応するセッションの再生だけが可能である。オープン・セッションは、記録可能なセッションになる。
【００５０】
仮に、特定のオープン・セッションに対しクローズしようとするクローズ・セッションコマンドが下されれば、オープン・セッション内に存在するオープン・トラックを全てクローズ・トラックに変更される。さらに、トラックタイプに関する情報も、トラックのクローズ状態を示すように変更される。例えば、セッション＃１のトラック＃２は、最初はオープン・トラックであったが、クローズコマンド（クローズ・トラックまたはクローズ・セッションコマンド）によりトラック内の記録可能な領域を“ゼロ・パッディング（または、ダミーデータ）”した後、クローズ・トラックに変更される。結果として、セッション＃１は、クローズ・トラックで終わるクローズ・セッションに変更される。特定のシステムの場合では、そのトラックのタイプに関するトラックタイプ情報（Ｓｔａｔｕｓ１）だけを、セロパッディングなしのクローズ・トラックを示す“００１０ｂ”に変更することも可能である。
【００５１】
図４に示す実施形態によれば、トラック＃１〜トラック＃６は、いずれもクローズ・トラックであるため、Ｓｔａｔｕｓ１におけるトラック状態情報は、００１０ｂとなる。しかしながら、このうち、トラック＃１、＃３、＃４は、それぞれセッション＃１、＃２、＃３の開始トラックであって、Ｓｔａｔｕｓ２におけるセッション状態情報は１０００ｂとなる。トラック＃２、＃４、＃５は、各セッション内の開始トラックではないトラックであるので、Ｓｔａｔｕｓ２においてセッション状態情報は００００ｂになる。また、トラック＃７は、オープン・トラックであるので、Ｓｔａｔｕｓ１におけるトラック状態情報は００００ｂとなる。また、トラック＃７はセッション＃４の開始トラックであるため、Ｓｔａｔｕｓ２におけるセッション状態情報は１０００ｂとなる。トラック＃８は、インターミーディアト・トラックであるので、Ｓｔａｔｕｓ１におけるトラック状態情報は０００１ｂとなる。さらに、トラック＃８はセッション＃４の開始トラックではないため、Ｓｔａｔｕｓ２におけるセッション状態情報は００００ｂとなる。この場合、セッションがクローズしていないセッション＃４は、オープン・セッションとして定義され得る。図４に示す実施の形態において、Ｓｔａｔｕｓ２（３７）に保存されるセッション状態情報は、１ビットにて指定することも可能である。例えば、ビットが‘１’であれば、セッションの開始トラックを意味し、ビットが‘０’であれば、セッションの開始トラックではないことを意味する。この１ビットは、第２の状態情報３７内の何れのビットを割り当てることが可能である。同様に、２つの隣接するビットを割り当てて、第１の状態フィールド３５内のトラック状態情報を示すことも可能である。
【００５２】
図５は、本発明の第２の実施形態による追記型光ディスクのトラック情報３０内のトラック情報エントリー３４の構造の一例を示す図である。図４で示した第１の実施形態は、各セッションの開始トラックだけを区分した。一方、第２の実施形態では、セッション開始トラック、セッション終了トラック、ｏｎｅトラック−ｏｎｅセッション、および非セッション  開始／終了トラック  の表示によって、それぞれ区別する方法を開示している。第２の実施形態から分かるように、本発明のトラック情報内に記録されるセッション情報は、様々な方法によって定義することが可能である。また、必要に応じて、規格化した情報としてより細分化して分類することも可能である。
【００５３】
図５に示すようなトラック情報エントリー３４の構造および使用は、前述した図４の場合に比べ、第２の状態フィールド３７を除いては同一である。第２の実施形態において、第２の状態フィールド３７（Ｓｔａｔｕｓ２）は、そのエントリー３４に関連付けられた対応するトラックの異なる４通りの状態を表すセッション状態情報を記録する。従って、第２の状態フィールド３７の構造および使用について説明することにし、図４と同一の部分については、その説明を省くことにする。
【００５４】
図５に示すように、トラック＃１、＃４、＃７は、それぞれセッション＃１、＃３、＃４の開始トラックである。Ｓｔａｔｕｓ２におけるセッション状態情報は１０００ｂになる。トラック＃２、＃６は、それぞれセッション＃１、＃３のセッション終了トラックであるので、Ｓｔａｔｕｓ２におけるセッション状態情報は１００１ｂになる。トラック＃３は、セッション＃２のセッション開始／終了トラックであるので、Ｓｔａｔｕｓ２におけるセッション状態情報は０００１ｂである。これは、ｏｎｅトラック−ｏｎｅセッション（1つのセッションに対して１つのトラック）を意味し、そのｏｎｅトラックが、開始トラックでもあり終了トラックでもある。トラック＃５、＃８は、それぞれセッション＃３、＃４の中間のトラック（開始トラックでも終了トラックでもない場合）であって、Ｓｔａｔｕｓ２におけるセッション状態情報は００００ｂとなる。従って、各セッション内の全てのトラックがクローズ・トラックである場合をクローズ・セッション（セッション＃１、＃２、＃３）と定義できる。セッションがクローズトラックで終わらないか、または、セッション終了トラックを持っていない場合は、オープン・セッション（セッション＃４）と定義できる。
【００５５】
図５の実施の形態において、Ｓｔａｔｕｓ２内に記録されるセッション状態情報を示すために、異なるビット数を割り当てることが可能である。同様に、第１の状態フィールド３５内の隣接する２ビットを割り当てて、トラック状態情報を示すことも可能である。
【００５６】
図６は、本発明の第３の実施の形態による追記型光ディスクのトラック情報３０内のトラック情報エントリー３４の構造の例を示す図である。図６によるトラック情報エントリー３４の構造および使用は、前述した図４の場合に比べて、第１の状態フィールド３５（Ｓｔａｔｕｓ１）および第２の状態フィールド３７（Ｓｔａｔｕｓ２）を除いては同一である。すなわち、他のフィールド３６、３８は、図４の場合と同一である。
【００５７】
図６の実施形態は、第１の状態フィールド３５（Ｓｔａｔｕｓ１）は今後の活用のための予備領域として残しておき、第２の状態フィールド３７（Ｓｔａｔｕｓ２）には、セッション状態情報を記録する。セッション状態情報は、１ビットにて指定することができる。例えば、Ｓｔａｔｕｓ２において、ビットが‘１’であれば、セッションの開始トラックを意味し、ビットが‘０’であれば、セッションの開始トラックではないことを意味する。また、１ビットは、第２の状態フィールド３７（Ｓｔａｔｕｓ２）内のあるどの１ビットによって、セッション状態情報を運ぶこともできる。例えば、Ｓｔａｔｕｓ２（３）第１のビット（ｂ３１）をセッション状態情報として活用することもできる。この場合、使用しないＳｔａｔｕｓ２（３７）内の他のビットは、予備領域として残しておく。
【００５８】
また他の変形的使用として、図６のＳｔａｔｕｓ２（３７）内にセッション状態情報およびトラック状態情報の両方を記録し、Ｓｔａｔｕｓ１（３５）は、今後の活用のための予備領域として残しておくことも可能である。この場合、例えば、Ｓｔａｔｕｓ２（３７）内の第１のビットｂ３１をセッション状態情報として活用し、残りのビット（ｂ３０−ｂ２８）は、図４を参照して述べたトラック状態情報として活用することが可能である。
【００５９】
図７は、本発明の実施形態による前述した図３〜図６の追記型ディスクのトラック情報をアップデートする方法を示す図である。
【００６０】
追記型光ディスクは、‘１回だけ記録可能である’という特殊な特徴をもつため、常に、ディスク内の特定領域の記録状態を示すディスク状態情報が必要である。従って、‘トラック情報のアップデート’とは、ディスク内の記録に伴う状態に変化がある度にトラック情報をアップデートすることによって、システムやユーザによってトラック情報を活用可能にすることを意味する。
【００６１】
従って、新しいトラックが生成されたり、既存のトラックがクローズされたりする時は、トラック情報が新たに生成され、アップデートが必要とされ、実行される。また、ディスクの取り出し時や、電源をオフする時もディスクの使用を一時中止する場合にあたる。この時も最終的な状態のトラック情報をアップデートする必要があり、この結果、今後のディスクの使用時に記録状態を精度よく把握することができるようになる。
【００６２】
図７に示す本発明のトラック情報をアップデートする方法によれば、前段階のトラック情報と現にアップデートすべきトラック情報とを含めて累積的に記録し、トラック情報リストを特定の順に整列（ｓｏｒｔｉｎｇ）し記録する方式である。これについて詳述すれば、（ｎ＋１）番目にアップデートされるトラック情報を記録するためには、まず、ｎ番目に記録されたトラック情報を確認する。その後、このｎ番目に記録されたトラック情報と現にアップデートすべき（ｎ＋１）番目のトラック情報とを１つのトラック情報リストとしてみなし、特定の順に整列して記録する。同様に、（ｎ＋２）番目にアップデートされるトラック情報を記録するためには、まず、（ｎ＋１）番目に記録されたトラック情報を確認する。そして、（ｎ＋１）番目に記録されたトラック情報と現にアップデートすべき（ｎ＋２）番目のトラック情報とを１つのトラック情報リストとしてみなし、所望の順に整列し記録する。１つの例をあげれば、整列順は、例えば、トラックのタイプを表すトラック状態情報に従うものとし、その次にさらに、トラックの第１のアドレス情報（Ｓｔａｒｔ  ＰＳＮ）を基準にする。また他の整列基準によって整列できることも自明である。
【００６３】
上述の基準によるトラック情報リストの整列を本発明に適用し、（ｎ＋２）番目のアップデート時の整列情報を考えて見れば、次の通りである。第１に、トラックタイプ情報として“００００ｂ”を持つオープン・トラックが先に整列される。次いでトラックタイプ情報として“０００１ｂ”を持つ１つのインターミーディアト・トラックだけが整列され、次いで、トラックタイプ情報として“００１０ｂ”を持つ一般のクローズ・トラックが整列される。また、１つのトラックのタイプが比較しているトラックのタイプと同一の場合には、トラックの第１のアドレス情報が最も先であるものが優先して整列される。しかしながら、整列と関連してトラックタイプ情報として如何なるビット列を割り当てるかおよび整列の基準を何にするかは、一種の選択の問題であって、システムや設計者によって各種の方式にて適用可能である。
【００６４】
本発明にように、前のトラック情報を含めて整列するトラック情報のアップデート方式の長所は、ディスク内に存在する全てのトラックがトラックのタイプ別に従って整列されていることである。従って、所望するトラックタイプに関する情報を容易に取得できる。さらに、最後にアップデートされた最新のトラック情報だけを参照すれば、前段階の全てのトラック情報を一度に確認可能になる。これによって、アクセス時間を短縮することができるという利点がある。
【００６５】
図８は、前述した本発明のディスク状態情報を記録し、管理および／またはアップデートする方法を実現する記録再生装置を示す図である。なお、本発明の方法およびディスク構造は、別のシステムおよび装置によっても実現可能であることは言うまでもない。
【００６６】
図８に示すように、本発明の記録再生装置は、ＢＤ−ＷＯのような追記型光ディスクに対して記録再生を行う記録／再生部１０と、これを制御する制御部２０と、から構成される。制御部２０は、記録／再生部１０に対し特定の領域への記録または再生コマンドを送り、記録／再生部は、制御部のコマンドに基づき特定の領域への記録再生を行う。記録／再生部１０は、具体的には、外部との通信を行うインタフェース部１２と、光ディスクへデータを直接記録したり再生するピックアップ部１１と、ピックアップ部から再生信号を受信して所望する信号値に復元したり、記録すべき信号を光ディスクへ記録する信号に変調し送るデータ・プロセッサ１３と、光ディスクから的確に信号を読み出したり、光ディスクに信号を的確に書き込むためにピックアップ部１１を制御するサーボ部１４と、管理情報を含んで各種の情報およびデータを一時的に保存するメモリ１５と、この記録／再生部内の構成要素の制御を司るマイコン１６と、から構成されている。この記録再生装置内の全ての構成要素は、相互有機的に結合されている。
【００６７】
本発明による光ディスクの記録再生プロセスについて詳細に説明すると、下記のとおりである。まず、光ディスクが記録再生装置内に挿入されれば、この光ディスク内の既に設定された管理エリア内に記録された最新のディスクトラック情報を読み出し、記録／再生部内のメモリ１５に一時保存する。このマイコン１６は、トラック情報および他の管理情報の記録およびアップデートを制御する。併せて、ディスクトラック情報内には、最新のディスク使用状態が記録されているので、特に、特定のトラックの開始アドレス情報、データが記録された最後のアドレス情報（ＬＲＡ）、およびディスク内の特定区間のセッション情報を読み出す。そして、これらの読み出した情報からディスクの特定領域の記録済みもしくは未記録状態並びにセッションの終了有無が確認可能になる。これらの情報は、光ディスクの記録再生時に活用される。
【００６８】
制御部２０は、光ディスク内のへの記録または、特定領域からの再生をしようとする場合、この情報を記録再生コマンドとして記録を所望する特定領域の位置情報と共に記録／再生部１０に送る。記録／再生部内のマイコン１６は、この記録コマンドを受信した後、メモリ１５に保存しておいたディスクトラック情報から制御部２０が記録を所望する光ディスク内の特定領域の記録情報を精度よく確認することができる。この結果、制御部２０の所望する記録再生コマンドを実行することが可能になる。
【００６９】
本発明にかかる追記型光ディスクの管理情報の記録方法によれば、物理的欠陥管理が行われる光ディスク上にトラック情報を記録することが可能になる。また、ディスクトラック情報内にセッション情報を記録することにより、セッション情報の記録のために別の物理的領域を割り当てることなく再生専用規格との互換性を保つことができるようになる。しかも、本発明の構造および整列方法を活用することにより、効率の良いトラック情報のアップデートが可能になる。従って、結果として、新たな異なる物理的構造を有する追記型光ディスクにおいても、管理情報の効率よい管理が可能になる。
【００７０】
本発明の技術的な範囲を逸脱しない範囲内で各種の変更および変形的な使用が可能であるということは、本発明の技術分野における当業者にとっては自明なことである。よって、本発明の請求の範囲およびその均等な範囲内での変形的な使用は、本発明に属することを明らかにする。
【図面の簡単な説明】
【００７１】
【図１】従来の追記型光ディスク（ＤＶＤ−Ｒ）の構造を示す図である。
【図２】本発明が適用される追記型光ディスクのトラックタイプに関して例を示す図である。
【図３】本発明の追記型光ディスクの全体構造および本発明の実施形態によるディスク管理情報を記録する方法を示す図である。
【図４】本発明の第１の実施形態による、図３の追記型光ディスクにてトラック情報を記録する方法を示す図である。
【図５】本発明の第２の実施形態による、図３の追記型光ディスクにてトラック情報を記録する方法を示す図である。
【図６】本発明の第３の実施形態による、図３の追記型光ディスクにてトラック情報を記録する方法を示す図である。
【図７】本発明の追記型光ディスクにおけるトラック情報をアップデートする方法を示す図である。
【図８】本発明の追記型光ディスクの記録再生装置を示す図である。
【図１】
2007531173.tif 000003
【図２】
2007531173.tif 000004
【図３】
2007531173.tif 000005
【図４】
2007531173.tif 000006
【図５】
2007531173.tif 000007
【図６】
2007531173.tif 000008
【図７】
2007531173.tif 000009
【図８】
2007531173.tif 000010
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
少なくとも１つの記録層を有する記録媒体において、
少なくとも１つの記録ユニットを含むセッションと、
前記少なくとも１つの記録層上の記録情報であって、前記記録情報は前記少なくとも１つの記録ユニットに関連し、少なくとも１つの記録ユニットエントリーを含む記録ユニットリストを含むことと
を備え、
前記少なくとも１つの記録ユニットエントリーは、前記少なくとも１つの記録ユニットの各々に関連し、対応する記録ユニットが前記セッションの開始であるか否かを表すセッション開始情報を保存するための少なくとも１つの状態領域を含むことを特徴とする記録媒体。
【請求項２】
前記少なくとも１つの状態領域は、前記セッション開始情報を保存するためのセッション状態領域を含み、前記セッション状態領域は、前記記録ユニットエントリー内の開始ビット（ｂｅｇｉｎｎｉｎｇ  ｂｉｔｓ）を除く領域に配置されることを特徴とする請求項１に記載の記録媒体。
【請求項３】
前記セッション状態領域は、前記セッション開始情報を表すために割り当てられた１ビットを含むことを特徴とする請求項２に記載の記録媒体。
【請求項４】
前記セッション開始情報は、前記記録ユニットエントリーの中間部分に保存されることを特徴とする請求項１に記載の記録媒体。
【請求項５】
前記セッション状態領域は、前記対応する記録ユニットがオープンであるかまたはクローズであるかを表す記録ユニット状態情報をさらに保存することを特徴とする請求項２に記載の記録媒体。
【請求項６】
前記少なくとも１つの状態領域は、記録ユニット状態情報を保存するための記録ユニット状態領域を含み、前記記録ユニット状態領域は、前記記録ユニットエントリーの開始ビットに位置することを特徴とする請求項１に記載の記録媒体。
【請求項７】
前記記録ユニット状態情報は、前記対応する記録ユニットがオープンであるかまたはクローズであるかを表すことを特徴とする請求項６に記載の記録媒体。
【請求項８】
前記少なくとも１つの状態領域は、
前記セッション開始情報を保存するためのセッション状態領域と、
前記対応する記録ユニットの開始アドレス情報を保存するための開始アドレス領域を含み、前記セッション状態領域は、前記開始アドレス領域の後に位置することを特徴とする請求項１に記載の記録媒体。
【請求項９】
前記少なくとも１つの記録ユニットエントリーの各々は、前記対応する記録ユニットの開始アドレス情報を保存するための第１のアドレス領域と、前記対応する記録ユニットの最後に記録されたアドレス情報を保存するための第２のアドレス領域と
をさらに含むことを特徴とする請求項１に記載の記録媒体。
【請求項１０】
前記記録情報は、オープン記録ユニットリストおよび記録ユニットの総数を有するヘッダ部をさらに含むことを特徴とする請求項１に記載の記録媒体。
【請求項１１】
前記記録情報は、前記少なくとも１つの記録層上に指定された一時欠陥管理エリア内に保存されることを特徴とする請求項１に記載の記録媒体。
【請求項１２】
前記記録媒体は、追記型光ディスクであることを特徴とする請求項１に記載の記録媒体。
【請求項１３】
少なくとも１つの記録層と、
前記少なくとも１つの記録層上に保存された少なくとも１つのＳＲＲエントリーであって、各々のＳＲＲエントリーはＳＲＲに関連して、少なくとも１つの状態領域を含んでおり、前記少なくとも１つの状態領域は、セッション開始情報をその中に保存して、対応するＳＲＲエントリー内の開始ビットを除く領域に配置されていることと
を備えること特徴とする記録媒体。
【請求項１４】
前記少なくとも１つの状態領域は、前記セッション開始情報を保存するためのセッション状態領域を含み、前記セッション状態領域は、前記ＳＲＲエントリー内の開始ビット（ｂｅｇｉｎｎｉｎｇ  ｂｉｔｓ）を除く領域に配置されることを特徴とする請求項１３に記載の記録媒体。
【請求項１５】
前記セッション状態領域は、前記セッション開始情報を表すために割り当てられた１ビットを含むことを特徴とする請求項１４に記載の記録媒体。
【請求項１６】
前記セッション開始情報は、前記ＳＲＲエントリーの中間部分に保存されることを特徴とする請求項１３に記載の記録媒体。
【請求項１７】
前記セッション状態領域は、ＳＲＲ状態情報をさらに保存することを特徴とする請求項１４に記載の記録媒体。
【請求項１８】
前記ＳＲＲ状態情報は、前記対応するＳＲＲがオープンＳＲＲであるかまたはクローズＳＲＲであるかを表すことを特徴とする請求項１７に記載の記録媒体。
【請求項１９】
前記少なくとも１つの状態領域は、ＳＲＲ状態情報を保存するためのＳＲＲ状態領域を含み、前記ＳＲＲ状態領域は、前記ＳＲＲエントリーの開始ビットに位置することを特徴とする請求項１４に記載の記録媒体。
【請求項２０】
前記ＳＲＲ状態情報は、前記対応するＳＲＲがオープンＳＲＲであるかまたはクローズＳＲＲであるかを表すことを特徴とする請求項１９に記載の記録媒体。
【請求項２１】
前記少なくとも１つの状態領域は、
前記セッション開始情報を保存するためのセッション状態領域と、
前記対応するＳＲＲの開始アドレス情報を保存するための開始アドレス領域を含み、
前記セッション状態領域は、前記開始アドレス領域の後に位置することを特徴とする請求項１３に記載の記録媒体。
【請求項２２】
前記少なくとも１つのＳＲＲエントリーの各々は、
前記対応するＳＲＲの開始アドレス情報を保存するための開始アドレス領域と、
前記対応するＳＲＲの最後に記録されたアドレス情報を保存するための最後の記録領域（ＬＲＡ）フィールドと
をさらに含むことを特徴とする請求項１３に記載の記録媒体。
【請求項２３】
前記少なくとも１つのＳＲＲエントリーに保存された情報は、前記少なくとも１つの記録層上に指定された一時欠陥管理エリア内に保存されることを特徴とする請求項１３に記載の記録媒体。
【請求項２４】
前記記録媒体は、追記型光ディスクであることを特徴とする請求項１３に記載の記録媒体。
【請求項２５】
前記追記型光ディスクは、追記型ブルーレイ・ディスク（ＢＤ−ＷＯ）であることを特徴とする請求項２４に記載の記録媒体。
【請求項２６】
少なくとも１つの記録層を有する記録媒体上に管理情報を記録する方法において、
（ａ）前記少なくとも１つの記録層上に記録情報を記録するステップであって、前記記録情報は、少なくとも１つの記録ユニットに関連し、少なくとも１つの記録ユニットエントリーを含む記録ユニットエントリーリストを含んでおり、前記少なくとも１つの記録ユニットエントリーは、前記少なくとも１つの記録ユニットの各々に関連することを備え、
前記少なくとも１つの記録ユニットはセッションを形成し、前記少なくとも１つの記録ユニットエントリーは、対応する記録ユニットが前記セッションの開始であるか否かを表すセッション開始情報を保存するための少なくとも１つの状態領域を含むことを特徴とする記録媒体上の管理情報の記録方法。
【請求項２７】
前記（ａ）ステップは、
（ａ１）前記少なくとも１つの状態領域のうちのセッション状態領域内に前記セッション開始情報を記録するステップを含み、前記セッション状態領域は、前記記録ユニットエントリー内の開始ビットを除く領域に配置されることを特徴とする請求項２６に記載の管理情報の記録方法。
【請求項２８】
前記セッション状態領域は、前記セッション開始情報を表すために割り当てられた１ビットを含むことを特徴とする請求項２７に記載の記録媒体上の管理情報の記録方法。
【請求項２９】
前記セッション開始情報は、前記記録ユニットエントリーの中間部分に記録されることを特徴とする請求項２６に記載の記録媒体上の管理情報の記録方法。
【請求項３０】
前記（ａ）ステップは、
（ａ２）前記セッション状態領域内に、前記対応する記録ユニットがオープンであるかクローズであるかを表す記録ユニット状態情報を記録するステップ、
をさらに含むことを特徴とする請求項２７に記載の記録媒体上の管理情報の記録方法。
【請求項３１】
前記（ａ）ステップは、
（ａ２）前記少なくとも１つの状態領域のうちの記録ユニット状態領域内に記録ユニット状態情報を記録するステップであって、前記記録ユニット状態領域は、前記記録ユニットエントリーの開始ビットに位置すること、
をさらに含むことを特徴とする請求項２７記載の記録媒体上の管理情報の記録方法。
【請求項３２】
前記記録ユニット状態情報は、前記対応する記録ユニットがオープンであるかクローズであるかを表すことを特徴とする請求項３１に記載の記録媒体上の管理情報の記録方法。
【請求項３３】
前記（ａ）ステップは、
（ａ１）前記少なくとも１つの状態領域のうちのセッション状態領域内に、前記セッション開始情報を記録するステップと、
（ａ２）前記対応する記録ユニットエントリーの開始アドレス領域内に前記対応する記録ユニットの開始アドレス情報を記録するステップと、を含み、
前記セッション状態領域は、前記開始アドレス領域の後に位置することを特徴とする請求項２６に記載の記録媒体上の管理情報の記録方法。
【請求項３４】
前記（ａ）ステップは、
（ａ１）前記少なくとも１つの状態領域内に、前記セッション開始情報を記録するステップと、
（ａ２）前記対応する記録ユニットエントリーの第１のアドレス領域内に、前記対応する記録ユニットの開始アドレス情報を記録するステップと、
（ａ３）前記対応する記録ユニットエントリーの第２のアドレス領域内に、前記対応する記録ユニットの最後に記録されたアドレス情報を記録するステップと
をさらに含むことを特徴とする請求項２６に記載の記録媒体上の管理情報の記録方法。
【請求項３５】
前記記録情報は、オープン記録ユニットリストおよび記録ユニットの総数情報を有するヘッダ部をさらに含むことを特徴とする請求項２６に記載の記録媒体上の管理情報の記録方法。
【請求項３６】
前記（ａ）ステップにおいて、前記少なくとも１つの記録層上で指定された一時欠陥管理エリア内に、前記記録情報を記録することを特徴とする請求項２６に記載の記録媒体上の管理情報の記録方法。
【請求項３７】
前記（ａ）ステップにおいて、前記記録媒体は、追記型光ディスクであることを特徴とする請求項２６に記載の記録媒体上の管理情報の記録方法。
【請求項３８】
少なくとも１つの記録層を有する記録媒体上に管理情報を記録する方法において、
（ａ）前記少なくとも１つの記録層上に、少なくとも１つのＳＲＲエントリーを記録するステップであって、各々のＳＲＲエントリーはＳＲＲに関連し、セッション開始情報を保存する少なくとも１つの状態領域を含んでおり、前記少なくとも１つの状態領域は、対応するＳＲＲエントリー内の開始ビットを除く領域に配置されること
を備えることを特徴とする記録媒体上の管理情報の記録方法。
【請求項３９】
前記（ａ）ステップは、
（ａ１）前記少なくとも１つの状態領域のうちのセッション状態領域内に、前記セッション開始情報を記録するステップであって、前記セッション状態領域は、前記ＳＲＲエントリー内の開始ビットを除く領域に配置されること
を含むことを特徴とする請求項３８に記載の記録媒体上の管理情報の記録方法。
【請求項４０】
前記セッション状態領域は、前記セッション開始情報を表すために割り当てられた１ビットを含むことを特徴とする請求項３９に記載の記録媒体上の管理情報の記録方法。
【請求項４１】
前記セッション開始情報は、前記ＳＲＲエントリーの中間部分に保存されることを特徴とする請求項３８に記載の記録媒体上の管理情報の記録方法。
【請求項４２】
前記（ａ）ステップは、
（ａ２）前記セッション状態領域内にＳＲＲ状態情報を記録するステップをさらに含むことを特徴とする請求項３９に記載の記録媒体上の管理情報の記録方法。
【請求項４３】
前記ＳＲＲ状態情報は、前記対応するＳＲＲがオープンＳＲＲであるかまたはクローズＳＲＲであるかを示すことを特徴とする請求項４２に記載の記録媒体上の管理情報の記録方法。
【請求項４４】
前記（ａ）ステップは、
（ａ２）前記少なくとも１つの状態領域のうちのＳＲＲ状態領域内にＳＲＲ状態情報を記録するステップであって、前記ＳＲＲ状態領域は、前記ＳＲＲエントリーの開始ビットに位置すること
を含むことを特徴とする請求項３９記載の記録媒体上の管理情報の記録方法。
【請求項４５】
前記ＳＲＲ状態情報は、前記対応するＳＲＲがオープンＳＲＲであるかまたはクローズＳＲＲであるかを示すことを特徴とする請求項４４に記載の記録媒体上の管理情報の記録方法。
【請求項４６】
前記（ａ）ステップは、
（ａ１）前記少なくとも１つの状態領域のうちのセッション状態領域内に、前記セッション開始情報を記録するステップと、
（ａ２）前記対応するＳＲＲエントリーの開始アドレス領域内に、前記対応するＳＲＲの開始アドレス情報を記録するステップと、を含み、
前記セッション状態領域は、前記開始アドレス領域の後に位置することを特徴とする請求項３８に記載の記録媒体上の管理情報の記録方法。
【請求項４７】
前記（ａ）ステップは、
（ａ１）前記少なくとも１つの状態領域内に、前記セッション開始情報を記録するステップと、
（ａ２）前記対応するＳＲＲエントリーの開始アドレス領域内に、前記対応するＳＲＲの開始アドレス情報を記録するステップと、
（ａ３）前記対応するＳＲＲエントリーの最後の記録領域（ＬＲＡ）フィールド内に、前記対応するＳＲＲの最後に記録されたアドレス情報を記録するステップと
をさらに含むことを特徴とする請求項３８に記載の記録媒体上の管理情報の記録方法。
【請求項４８】
前記（ａ）ステップは、前記少なくとも１つの記録層上において指定された一時欠陥管理エリア内に、前記少なくとも１つのＳＲＲエントリーに保存された情報を記録することを特徴とする請求項３８に記載の記録媒体上の管理情報の記録方法。
【請求項４９】
前記（ａ）ステップにおいて、前記記録媒体は、追記型光ディスクであることを特徴とする請求項３８に記載の記録媒体上の管理情報の記録方法。
【請求項５０】
前記追記型光ディスクは、追記型ブルーレイ・ディスク（ＢＤ−ＷＯ）であることを特徴とする請求項４９に記載の記録媒体上の管理情報の記録方法。
【請求項５１】
少なくとも１つの記録層を有する記録媒体上に管理情報を記録する装置において、
前記少なくとも１つの記録層上に記録情報を記録するための記録／再生部であって、前記記録情報は、少なくとも１つの記録ユニットに関連して、ヘッダ部、記録ユニットエントリーリストおよびターミネータを含んでおり、前記記録ユニットエントリーリストは、複数の記録ユニットエントリーを含んでおり、各々の記録ユニットエントリーは、１つの記録ユニットに関連して、セッション開始情報を保存するための少なくとも１つの状態領域を含んでいること
を備えることを特徴とする記録媒体上の管理情報の記録装置。
【国際調査報告】
2007531173.tif 000011
2007531173.tif 000012